(57)【要約】      （修正有）【課題】側面視が略三角形状となる提手付箱の箱体上部開口部の封止を確実にし、外観的にも衛生上及び安全上にも優れた包装用提手付箱を提供する。【解決手段】底面部１１、前面部１２、後面部１３及び左右の側面部１４，１５よりなり、前記左右の側面部上部が内方へ折り畳まれ、前面部及び後面部の上部中央には提手窓が切り抜かれており、前面部提手窓の下辺部２１ａに連接された提手折曲片２５を後面部提手窓の下辺部２２ａに折り重ね止着した側面視略三角形状の提手付きの包装用箱において、前面部の提手窓の左右には下部に連接部を有する首部３５，３６及びその先端部に膨出部を有する封止折曲片３１，３２が切り抜きによって形成され、後面部の封止折曲片に重合する位置には前記封止折曲片が挿通する挿通窓部４１，４２及びその下部に前記封止折曲片の膨出部が差し込まれかつ係止する差込係合部５１，５２が形成されている。【選択図】図１
0003103628.tif 000002
【実用新案登録請求の範囲】
【請求項１】
単一の板紙（Ｐ）によって形成された、底面部（１１）、前面部（１２）、後面部（１３）及び左右の側面部（１４，１５）よりなり、前記左右の側面部上部が内方へ折り畳まれ、前記前面部及び後面部の上部中央には提手窓（２１，２２）が切り抜かれ、前記前面部提手窓（２１）の下辺部（２１ａ）に連接された提手折曲片（２５）を前記後面部提手窓（２２）の下辺部（２２ａ）に折り重ね止着して側面視略三角形状の提手付きの包装用箱を形成するようにしてなるものにおいて、
前記前面部の前記提手窓の左右には下部に連接部（３３，３４）を有する首部（３５，３６）及びその先端部に膨出部（３７，３８）を有する封止折曲片（３１，３２）が切り抜きによって形成されているとともに、前記後面部の前記封止折曲片に重合する位置には前記封止折曲片が挿通する挿通窓部（４１，４２）及びその下部に前記封止折曲片の膨出部が差し込まれかつ係止する差込係合部（５１，５２）が形成されていることを特徴とする包装用提手付箱。
【請求項２】
前記封止折曲片が前記側面部上部の内方への折曲先端（１４Ａ，１５Ａ）より外側に位置するように形成された請求項１に記載の包装用提手付箱。
【請求項３】
前記封止折曲片が略Ｔ字形状に形成され、かつ前記挿通窓部が略同形状に形成された請求項１または２に記載の包装用提手付箱。
【請求項４】
前記略Ｔ字形状の封止折曲片の膨出部に首部と同幅の折り曲げ溝部（３７Ａ，３８Ａ）が形成された請求項３に記載の包装用提手付箱。
【請求項５】
前記差込係合部の横幅が前記封止折曲片の首部の幅より大きくかつ膨出部の幅より小さく形成された請求項１ないし４のいずれか１項に記載の包装用提手付箱。
【請求項６】
前記前面部又は後面部の提手窓の下部に下方に延びる切取可能部（６０）が形成された請求項１ないし５のいずれか１項に記載の包装用提手付箱。
【考案の詳細な説明】
【技術分野】
【０００１】
本考案は、包装用提手付箱に関し、特には菓子等の食品の包装に有用な紙製の提手付箱に関する。
【背景技術】
【０００２】
例えば、駅やデパート等で販売される菓子類にあっては、内容物を保護しかつ持ち運びが容易なように、厚紙よりなる提手付の箱に包装されることが多い。この種の包装用提手付箱として、上部が開口部とされた直方体形状の箱体の左右の側面部上部が内方へ折り畳まれ、前面部及び後面部の上部中央には提手窓が切り抜かれ、前記前面部提手窓の下辺部に連接された提手折曲片を前記後面部提手窓の下辺部に折り重ね止着して側面視略三角形状の提手付きの包装用箱を形成するようにしてなるものが知られている。
【０００３】
しかるに、この箱体にあっては、左右の両側面部上部における平面視Ｖ字状の内方への折畳部が前面部と後面部に対する反発力として働き、箱体の上部の開口部を常に開こうとする力が働く。そのため、中央部分の提手窓をしっかりと止着しなければならないのであるが、上部開口部の中央部分の提手窓をシールや粘着テープで止着しても、開口部の左右の端部には隙間を生ずることが避けられない。
【０００４】
このような箱体上部の開口部に隙間があると、外観上見苦しいばかりなく、特に被包装物が菓子等の食品である場合には不衛生であり、駅やデパート等の人通りの多い場所ではほこりや異物の混入のおそれなしとしない。
【０００５】
このような隙間をふさぐために、開口部の側部を粘着テープやステープル等で止着することが考えられるが、これらの手段では商品の包装容姿が悪くなるばかりでなく、被包装物との関係ではあまり好ましいものとはいえない。
【考案の開示】
【考案が解決しようとする課題】
【０００６】
この考案はこのような点を改良するために提案されたものであって、側面視が略三角形状となる提手付箱において、箱体上部開口部の封止を確実にし、外観的にも衛生上及び安全上にも優れた包装用提手付箱を提供するものである。
【課題を解決するための手段】
【０００７】
すなわち、請求項１の考案は、単一の板紙（Ｐ）によって形成された、底面部（１１）、前面部（１２）、後面部（１３）及び左右の側面部（１４，１５）よりなり、前記左右の側面部上部が内方へ折り畳まれ、前記前面部及び後面部の上部中央には提手窓（２１，２２）が切り抜かれ、前記前面部提手窓（２１）の下辺部（２１ａ）に連接された提手折曲片（２５）を前記後面部提手窓（２２）の下辺部（２２ａ）に折り重ね止着して側面視略三角形状の提手付きの包装用箱を形成するようにしてなるものにおいて、前記前面部の前記提手窓の左右には下部に連接部（３３，３４）を有する首部（３５，３６）及びその先端部に膨出部（３７，３８）を有する封止折曲片（３１，３２）が切り抜きによって形成されているとともに、前記後面部の前記封止折曲片に重合する位置には前記封止折曲片が挿通する挿通窓部（４１，４２）及びその下部に前記封止折曲片の膨出部が差し込まれかつ係止する差込係合部（５１，５２）が形成されていることを特徴とする包装用提手付箱に係る。
【０００８】
請求項２の考案は、前記封止折曲片が前記側面部上部の内方への折曲先端（１４Ａ，１５Ａ）より外側に位置するように形成された請求項１に記載の包装用提手付箱に係る。
【０００９】
請求項３の考案は、前記封止折曲片が略Ｔ字形状に形成され、かつ前記挿通窓部が略同形状に形成された請求項１または２に記載の包装用提手付箱に係る。
【００１０】
請求項４の考案は、前記略Ｔ字形状の封止折曲片の膨出部に首部と同幅の折り曲げ溝部（３７Ａ，３８Ａ）が形成された請求項３に記載の包装用提手付箱に係る。
【００１１】
請求項５の考案は、前記差込係合部の横幅が前記封止折曲片の首部の幅より大きくかつ膨出部の幅より小さく形成された請求項１ないし４のいずれか１項に記載の包装用提手付箱に係る。
【００１２】
請求項６の考案は、前記前面部又は後面部の提手窓の下部に下方に延びる切取可能部（６０）が形成された請求項１ないし５のいずれか１項に記載の包装用提手付箱に係る。
【考案の効果】
【００１３】
請求項１の考案に係る包装用提手付箱によれば、単一の板紙によって形成された、底面部、前面部、後面部及び左右の側面部よりなり、前記左右の側面部上部が内方へ折り畳まれ、前記前面部及び後面部の上部中央には提手窓が切り抜かれ、前記前面部提手窓の下辺部に連接された提手折曲片を前記後面部提手窓の下辺部に折り重ね止着して側面視略三角形状の提手付きの包装用箱を形成するようにしてなるものにおいて、前記前面部の前記提手窓の左右には下部に連接部を有する首部及びその先端部に膨出部を有する封止折曲片が切り抜きによって形成されているとともに、前記後面部の前記封止折曲片に重合する位置には前記封止折曲片が挿通する挿通窓部及びその下部に前記封止折曲片の膨出部が差し込まれかつ係止する差込係合部が形成されているものであるから、この種提手付箱の箱体上部開口部の封止を確実にし、外観的にも衛生上及び安全上にも優れたものを提供することができる。とりわけ、箱体上部の提手窓の左右に挿通窓部が形成されその下部の差込係合部に封止折曲片が差し込まれている構造及び外観形態は、需要者に対して安全なイメージを与え、安心感を付与するばかりでなく、包装容姿を格段と向上させ、購入意欲を刺激する。さらに、封止折曲片は一旦開封すると破断されるので、開封品と未開封品とを外観上の差から容易に確認できる、いわゆるバージンシールの機能も果たす。また、開口部の封止は箱体を構成する単一の板紙によってなされるので、経済的でもある。
【００１４】
請求項２の考案に係る包装用提手付箱によれば、請求項１の考案において、前記封止折曲片が前記側面部上部の内方への折曲先端より外側に位置するように形成されたものであるから、開口部側部の封止をより確実に完全なものとすることができる。
【００１５】
請求項３の考案に係る包装用提手付箱によれば、請求項１又は２の考案において、前記封止折曲片が略Ｔ字形状に形成され、かつ前記挿通窓部が略同形状に形成されたことにより、封止折曲片の形状が単純化され製作が簡単であり、包装用提手付箱の外観性も美麗となる。
【００１６】
請求項４の考案に係る包装用提手付箱によれば、請求項３の考案において、前記略Ｔ字形状の封止折曲片の膨出部に首部と同幅の折り曲げ溝部が形成されたことより、膨出部の折り曲を容易かつ美麗にでき、封止作業の効率化が可能となる。
【００１７】
請求項５の考案に係る包装用提手付箱によれば、請求項１ないし４のいずれか１項に記載の考案において、前記差込係合部の横幅が前記封止折曲片の首部の幅より大きくかつ膨出部の幅より小さく形成されたことにより、前記差込係合部の差し込み及び係止を容易かつ確実に行うことができるとともに、封止作業の効率化が可能となる。
【００１８】
請求項６の考案に係る包装用提手付箱によれば、請求項１ないし５のいずれか１項に記載の考案において、前記前面部又は後面部の提手窓の下部に下方に延びる切取可能部が形成されたものであるから、購入者は包装用提手付箱の開口を簡単かつ容易に行うことができ、内容物を傷つけたり変形させたりすることなく安全かつ確実に取り出すことができる。また、購入者に切り取りの楽しみを与えることができる。
【考案を実施するための最良の形態】
【００１９】
以下添付の図面に従ってこの考案を詳細に説明する。図１はこの考案の一実施例を示す包装用提手付箱の全体斜視図、図２はその展開図、図３は図２の符号３部分の拡大図、図４は封止折曲片と挿通窓部及び差込係合部の部分拡大図、図５は箱体上部の要部の平面図、図６は封止折曲片の係止状態を示す部分拡大図である。
【００２０】
請求項１の考案として規定し、図１及び図２に図示したように、この考案に係る包装用提手付箱１０は、単一の板紙Ｐよって形成された、底面部１１、前面部１２、後面部１３及び左右の側面部１４，１５よりなり、前記左右の側面部１４，１５上部が内方へ折り畳まれ、前記前面部１２及び後面部１３の上部中央には提手窓２１，２２が切り抜かれ、前記前面部提手窓２１の下辺部２１ａに連接された提手折曲片２５を前記後面部提手窓２２の下辺部２２ａに折り重ね止着して側面視略三角形状の提手付きの包装用箱を形成するようにしてなるものに係る。図の符号１４Ｌ，１５Ｌは各側面部１４，１５の折り曲げ線、１４Ａ，１５Ａは各側面部１４，１５の折曲先端、２７は前面部提手、２８は後面部提手、図２のＮは貼り合わせ部（糊代）をそれぞれ示す。
【００２１】
前面部提手窓２１には、その下辺部２１ａに提手折曲片２５が連接されており、図１に示すように、該提手折曲片２５を後面部提手窓２２の下辺部２２ａに折り重ね止着する。図１の符号Ｓは粘着シールであり、提手折曲片２５と後面部１３とを貼付により固定する。この結果、図１に示すとおり、側面視略三角形状の提手付きの包装用箱が形成される。
【００２２】
この考案の包装用提手付箱１０には、前面部提手窓２１の左右には封止折曲片３１，３２が切り抜きによって形成されている。封止折曲片３１，３２は、連接部３３，３４を有する首部３５，３６と、その先端部に膨出部３７，３８を有する。一方、後面部１３の前記封止折曲片３１，３２と重合する位置には挿通窓部４１，４２が形成され、該挿通窓部４１，４２の下部には前記封止折曲片３１，３２の膨出部３７，３８が差し込まれ、かつ係止可能な差込係合部５１，５２が形成される。図２において封止折曲片３１，３２は紙面手前側に折り曲げられている状態を示す。封止折曲片３１，３２は、前記提手折曲片２５と同様に、単一の板紙Ｐから切り抜きにより形成されている。
【００２３】
封止折曲片３１，３２は、図示し請求項２の考案として規定したように、側面部１４，１５の内方への折曲先端１４Ａ，１５Ａより外側に位置するように形成することが開口部側部の封止をより確実に完全なものとする上で好ましい。
【００２４】
また、実施例の封止折曲片３１，３２は、請求項３の考案として規定したように、略Ｔ字形状に形成され、前記封止折曲片に対応する挿通窓部４１，４２も略同形状（略Ｔ字形状）に形成されている。さらに、この例では、請求項４の考案として規定し、図３に示す封止折曲片３２からも理解されるとおり、略Ｔ字形状の各封止折曲片３１，３２には、その膨出部３７，３８に首部３５，３６と同幅の折り曲げ溝部３７Ａ，３８Ａが形成されている。なお、封止折曲片３１，３２は互いに同形状である。
【００２５】
実施例のように、封止折曲片３１，３２を略Ｔ字形状に形成することによって、前記したように、首部３５，３６と同幅の折り曲げ溝部３７Ａ，３８Ａを介して容易に膨出部３７，３８を折り曲げることができるため、封止作業の効率上好ましい。また、形状が単純なため、包装用提手付箱の陳列時の外観性も美麗となる。なお、封止折曲片３１，３２の形状は、図示の略Ｔ字形状に代えて膨出部３７，３８を矢尻形状（図示せず）とする等、差込係合部５１，５２との係合を確保できる限りにおいて適宜形状が選択できる。
【００２６】
図４は前面部１２を後面部１３に重ねた状態における封止折曲片３２（３１）と差込係合部５１（５２）との関係を示す。なお、封止折曲片３１、差込係合部５２も同形状であり、同様である。図示し請求項５の考案として規定したように、差込係合部５１，５２の横幅Ｗ１は、封止折曲片３１，３２の首部３５，３６の横幅Ｗ２より大きくかつ膨出部３７，３８の横幅Ｗ３より小さく形成されている。つまり、これらの横幅の関係は、“Ｗ２＜Ｗ１＜Ｗ３”となる。このように構成することにより、封止折曲片３１，３２の差し込みが容易で、膨出部３７，３８が差込係合部５１，５２に差し込まれた後の係止力を大きくすることができる。
【００２７】
図５に示す平面図のように、組み立てられた包装用提手付箱１０において、左右の側面部１４，１５上方に位置する折曲先端１４Ａ，１５Ａは、前記左，右側面部の折り目１４Ｌ，１５Ｌに従い、当該包装用提手付箱１０の内方に向かうようにして対向している。このとき、請求項２の考案に規定するとおり、封止折曲片３１，３２は前記折曲先端１４Ａ，１５Ａより外方側に位置し、その膨出部３７，３８が差込係合部５１，５２に差し込まれている。
【００２８】
図示のとおり、封止折曲片３１，３２は、前面部１２と後面部１３との間に作用する反発力（左，右側面部の折り目１４Ｌ，１５Ｌに生じる紙板Ｐ自体の弾性）により常時引張されている。とりわけ、図６から理解されるとおり、封止折曲片３１，３２が差込係合部５１，５２に差し込まれて係合している場合、折り曲げ溝部３７Ａ，３８Ａにより屈曲された膨出部３７，３８は、板紙自体の弾性によりもとの平板形状に復元しようとして折り曲げ角度を保持している状態となる。このため、折り曲げ角度を保持している膨出部３７，３８は、差込係合部５１，５２に対して立体的に抵抗箇所として作用する。その結果、封止折曲片３１，３２は差込係合部５１，５２から抜けにくくなる。
【００２９】
図示の包装用提手付箱１０においては、請求項６の考案として規定するように、その後面部１３の提手窓２２の下部に下方に延びる切取可能部６０が形成されている。切取可能部６０はミシン目状（破線状）の切れ込み６０ｃを有し容易に破断して開封できる構成である。図示では切取可能部６０を包装用提手付箱の後面部１３に設けた例を示したが、前面部１２又は前後両面に設けてもよい。
【００３０】
包装用提手付箱１０を開封する場合、まず、提手折曲片２５の折り重ねを解除し、前記封止折曲片３１，３２を破断する。これにより、前面部１２、後面部１３、左右の側面部１４，１５は開口する。あるいは、この例では、切取可能部６０を用いて破断し、後面部１３から内容物を取り出してもよい。いずれにおいても、この考案の包装用提手付箱１０の開封には封止折曲片３１，３２又は切取可能部６０を破断（破壊）しなければならず、いったん封止された後の開封は箱の外観から容易に把握できる。
【図面の簡単な説明】
【００３１】
【図１】この考案の一実施例を示す包装用提手付箱の全体斜視図である。
【図２】図１の展開図である。
【図３】図２の符号３部分の拡大図である。
【図４】封止折曲片と挿通窓部及び差込係合部の部分拡大図である。
【図５】箱体上部の要部の平面図である。
【図６】封止折曲片の係止状態を示す部分拡大図である。
【符号の説明】
【００３２】
１０  包装用提手付箱
１１  底面部
１２  前面部
１３  後面部
１４  左側面部
１４Ａ  左側面部の折曲先端
１５  右側面部
１５Ａ  右側面部の折曲先端
２１  前面部提手窓
２２  後面部提手窓
２５  提手折曲片
２７  前面部提手
２８  後面部提手
３１，３２  封止折曲片
３３，３４  連接部
３５，３６  首部
３７，３８  膨出部
３７Ａ，３８Ａ  折り曲げ溝部
４１，４２  挿通窓部
５１，５２  差込係合部
６０  切取可能部
【図１】
0003103628.tif 000003
【図２】
0003103628.tif 000004
【図３】
0003103628.tif 000005
【図４】
0003103628.tif 000006
【図５】
0003103628.tif 000007
【図６】
0003103628.tif 000008